(57)【要約】【課題】ホログラム反射模様光を利用して、周囲に彩色鮮やかでオーロラのような幻想的な雰囲気を演出可能な、ランプシェード用ホログラム反射面シートを提供する。【解決手段】周壁が透明のランプシェード２０，２２、２４内部に配置可能な、ホログラム模様の付いたシート１０からなり、照明灯１４ｃ、１４ｅを灯すことによりホログラム模様の反射光が対向側で観賞されるように用いる。また、同じホログラム模様と照明灯とがランプシェードを透光して背面側（反対側）にもほんのり映る。【選択図】図５
0003115250.tif 000002
【実用新案登録請求の範囲】
【請求項１】
周壁が透明のランプシェード内部に配置可能な、ホログラム模様の付いたシートからなり、照明灯を灯すことによりホログラム模様の反射光が対向側で観賞されるように用いられることを特徴とする、ランプシェード用ホログラム反射面シート。
【請求項２】
ホログラム模様の付いたシートが、透明、柔軟な袋状ホルダーに挿入、保持されていることを特徴とする、請求項１に記載のランプシェード用ホログラム反射面シート。
【請求項３】
ホログラム模様の付いたシートが、透明、硬質のＬ状シート内面又は外面に貼り着されたものであることを特徴とする、請求項１に記載のランプシェード用ホログラム反射面シート。
【考案の詳細な説明】
【技術分野】
【０００１】
本考案は、ランプシェード用ホログラム反射面シートに関し、周壁が透明の主に卓上ランプシェード内部に配置され、ローソク、電灯など照明灯を灯すことにより、ホログラム模様の反射光が対向側で照明灯と異なるオーロラのような明かりとして観賞される。
【背景技術】
【０００２】
従来例として、ローソク、電灯、蛍光灯など照明灯とこれを支持して囲うランプシェード（外装カバー)とからなる照明器具が知られ、明かりはこのような照明灯の固有照明光のみに依存していた。従って、他の色彩を持つ明かり、例えばほんのりした緑のただよう雰囲気をかもしだすためには、例えば葬儀式場に見られるように、外装カバーに適当な素材を選んで彩色したカラーデザインを施している。
【０００３】
ローソクを囲う外装カバーにおいてその周側面の少なくとも１つの内面を鏡面にしてローソク光を反射させて観賞するようにした照明器具が知られている（例えば、特許文献１参照。）
ホログラムを利用したもので、照明器具ではなく、観賞用水槽が知られている（例えば、特許文献２参照）。これは、水槽容器と、この水槽容器内に配された光を拡散するホログラムとこのホログラムの両面側に積層されてホログラムを保護する透明板とからなるスクリーンと、水槽容器の近傍に備えられていてホログラムに向けて光を照射する光源とからなっている。
【０００４】
【特許文献１】米国特許第５，２６２，９２９号（図１）
【特許文献２】特開平８−２６６１８６号公報（図１）
【考案の開示】
【考案が解決しようとする課題】
【０００５】
本考案の課題は、ホログラム反射模様光を利用して、周囲に彩色鮮やかでオーロラのような幻想的な雰囲気を演出可能な、ランプシェード用ホログラム反射面シートを提供することである。
【課題を解決するための手段】
【０００６】
前記した課題は、周壁が透明のランプシェード内部に配置可能な、ホログラム模様の付いたシートからなり、照明灯を灯すことによりホログラム模様の反射光が対向側で観賞されるように用いられることで、解決される。
【考案の効果】
【０００７】
本考案では、ローソクに火をつけたとき又は豆電球など照明灯を点灯したとき、その光がランプシェード内部に配置された反射面シートに映るホログラム模様面に照射して、その反射模様光が対向側に赤、緑などの雲のように発散ただよわしているように観賞され、少し暗がりの場所などで使用すれば、周囲により鮮明で彩色豊かにオーロラのように幻想的な雰囲気ないし癒しでもって気分を和らげる。
本考案による反射面シートはランプシェード内に取替え可能であるので、いろいろあるホログラム模様を任意に取替えてその反射光を観賞できる。また、同じホログラム模様と照明灯とがランプシェードを透光して背面側（反対側）にもほんのり映る。
【考案を実施するための最良の形態】
【０００８】
ホログラム模様の付いたシートが透明、硬質のＬ状シート外面に貼り着されたものを、上方が開口した透明で中空の直方体状などの、照明灯を囲う主に卓上ランプシェード内部の周側面に沿って配置させ、その照明灯の点灯により反射したホログラム模様光が対向側で観賞されるようにする。
【実施例】
【０００９】
図１に示すように、上方が開口した透明の円筒状でローソク１４を囲うランプシェード２０を使い、その周囲壁部一部の内面に沿うようにしてホログラム模様の付いた反射面シート１０を配置させる。これによりローソクの点灯により反射したホログラム模様光が対向側で観賞されるようにする。なお、図面ではホログラム模様は図示不可能であるので一部のみ略図的に示されている。
【００１０】
この実施例方法において、ランプシェード２０は透明のものが好ましい。また、周囲壁部に網目、パンチ穴などの付いたランプシェードでもよく、ここで透明とは外部より内部が透視できるものも含む。図示例のものは、底つきであるが底なしのものでもよい。上方から見て、外形は円、四角、多角形であってもよい。照明灯を用いるため、ランプシェードはガラス、硬質プラスチック、金属など耐熱性、難燃性の材質が好ましい。
【００１１】
ホログラム模様の付いた反射面シート１０は、台紙にホログラムホイル、フィルム又はシートを貼り着したものでもよいが、直接ホログラム印刷したものでもよい。このような反射面シートは照明灯１４に直接対向して使用されるので、図２に例示するように、台紙にホログラムホイル、フィルム又はシートを貼り着したもの或いは直接ホログラム印刷したもの１０ｆを透明、柔軟でプラスチックなどの耐熱性袋状シートホルダー１０ｂに挿入して保持したもの１０が好ましい。
【００１２】
図３は他の実施例を示した平面図である。
上方が開口し周側部が透明の略立方体のランプシェード２２の内部に、仕切り壁のように、両面にそれぞれホログラム模様の付いた反射面シート１０が配置されており、ローソク１４ａに直近した２つの側面を介してホログラム模様光が観賞され、さらにローソク１４ｂに直近した他の２つの側面を介してホログラム模様光が観賞される。例えば、レストランなどのテーブルでは一方側にのみローソク１４ａを使い、他方側ではローソク１４ｂを置かず、勘定表などの物いれとして使える。
【００１３】
図４、５は別の実施例で示した斜視図である。
図４では周囲壁４つの側面が網目が付いたプラスチック成形のランプシェードが図示されており、その２つの隣接した内側面に沿ってまた隅角部を介してホログラム模様の付いた反射面シートがうまく折れ曲がって配置されており、それぞれの対向側で反射したホログラム模様光が観賞される。なお、上端梁にフックが設けられているので、壁に掛けることも可能である。この場合、ローソクは固定されるよう、図示しないがこれを中央に収容する凹状保持具を設けるのが好ましい。
【００１４】
図５では、上方が開口した透明の直方体のランプシェード２４が示されており、このようなランプシェードはアクリルなどの硬質プラスチックにより成形可能である。この図上方に示されている反射面シート１０（ホログラム模様は図示せず）はＬ型２面硬質シートからなり、その内面又は外面にホログラム模様が施される。図示例のようにこの反射面シート１０をランプシェード２４の隅角部を介して２つの周側面に沿って配置し、照明灯を灯せば、反射面シート１０の対向側又は開口部を介してホログラム模様光が観賞される。この対向側に透明、硬質のＬ状シート内面又は外面に半透明の例えば和紙を貼り着した別のものを組み合わせて配置すれば、また別の雰囲気が演出される。
【００１５】
なお、ランプシェード２４の正面部に削除溝２４ｓが設けられ、シェード２４の底面上に照明灯としてローソク１４ｃがそのまま又は図示しない凹部を設けた台座（ホルダー）を介して固定されるとき、この溝より空気が導入され、ローソク光の揺らぎを促す。前記した台座にローソクを固定すると、ローソクの火焔がランプシェード側壁から隔離して、側壁の損傷を防止できる。ローソクに代えて小型電球１４ｅも使用可能であり、その配線コードが削除溝２４ｓを介して電源に接続可能となる。削除溝は１つに限らず、他の面部にも設けてよい。また、ランプシェードは立方体でもよい。
【００１６】
本考案に適用される照明灯として、不規則にゆらめく点で興趣のある反射模様が得られるローソクが好ましいが、これに限らず、固形又は液体燃料、電灯、ＬＥＤ、ペンライトなどでもよい。
【図面の簡単な説明】
【００１７】
【図１】１実施例を示した見取り図。
【図２】ホログラム模様の付いた反射面シートの例示図。
【図３】他の実施例を示した平面図。
【図４】網目が付いたランプシェードを示した斜視図。
【図５】さらに別の実施例を示した斜視図。
【符号の説明】
【００１８】
１０              ホログラム模様の付いた反射面シート
１４              ローソク
２０，２２、２４  ランプシェード
【図１】
0003115250.tif 000003
【図２】
0003115250.tif 000004
【図３】
0003115250.tif 000005
【図５】
0003115250.tif 000006
【図４】
0003115250.tif 000007
【手続補正書】
【提出日】平成17年7月14日(2005.7.14)
【手続補正１】
【補正対象書類名】実用新案登録請求の範囲
【補正対象項目名】全文
【補正方法】変更
【補正の内容】
【実用新案登録請求の範囲】
【請求項１】
照明灯を囲う周壁が透明のランプシェードの内部に配置可能な、内面又は外面にホログラム模様の付いたシートからなり、照明灯を灯すことによりホログラム模様の反射光が対向側で観賞されるように配置され、用いられることを特徴とする、ランプシェード用ホログラム反射面シート。
【請求項２】
ホログラム模様の付いたシートが、透明、柔軟な袋状ホルダーに挿入、保持されていることを特徴とする、請求項１に記載のランプシェード用ホログラム反射面シート。
【請求項３】
ホログラム模様の付いたシートが、透明、硬質のＬ状シートからなり、その内面又は外面にホログラムフィルムを貼り着したものであることを特徴とする、請求項１に記載のランプシェード用ホログラム反射面シート。